(57)【要約】【課題】運用中に障害通知のための帯域を消費することなく、障害情報の伝達を極めて高速に行い、安価に装置を構成可能なネットワーク機器を提供する。【解決手段】ポート＃２１，＃２２は隣接するネットワーク機器１，４にイーサネット（Ｒ）回線を介して接続されている。パケット送受信部２３はポート＃２１，＃２２を介して隣接するネットワーク機器１，４との間でパケットの送受信を行う。経路障害検出部２４はパケット送受信部２３からの情報を基にポート＃２１，＃２２各々に接続されているイーサネット（Ｒ）回線における障害の有無を検出する。ポート制御部２５は経路障害検出部２４によってポート＃２１，＃２２の一方に障害が検出された時、ポート情報保持部２６に保持されているポート＃２１，＃２２のグループ化情報を基にグループ化されているポート＃２１，＃２２の他方を自発的に障害状態とする。【選択図】      図２
2004356784.tif 000002
【特許請求の範囲】
【請求項１】
ネットワーク回線を有する複数のネットワーク機器を相互に接続してなるネットワークであって、各々前記ネットワーク回線に接続される複数のポートを予め特定のグループとして記憶する手段と、前記グループ内のいずれか一つのポートに対応するネットワーク回線に障害が発生した時に当該グループに含まれる他のポート全てを自発的に障害状態とする手段とを前記複数のネットワーク機器各々に有することを特徴とするネットワーク。
【請求項２】
前記自発的に障害状態とする手段は、前記ネットワーク回線が電気信号を使用している場合にパルス断によって前記障害状態を実現することを特徴とする請求項１記載のネットワーク。
【請求項３】
前記自発的に障害状態とする手段は、前記ネットワーク回線が光信号を使用している場合に光断によって前記障害状態を実現することを特徴とする請求項１記載のネットワーク。
【請求項４】
前記障害が発生したネットワーク回線が復旧した時に、グループに含まれる他のポート全ての自発的な障害状態を復旧させることを特徴とする請求項１から請求項３のいずれか記載のネットワーク。
【請求項５】
ネットワーク回線を有するネットワーク機器であって、各々前記ネットワーク回線に接続される複数のポートを予め特定のグループとして記憶する手段と、前記グループ内のいずれか一つのポートに対応するネットワーク回線に障害が発生した時に当該グループに含まれる他のポート全てを自発的に障害状態とする手段とを有することを特徴とするネットワーク機器。
【請求項６】
前記自発的に障害状態とする手段は、前記ネットワーク回線が電気信号を使用している場合にパルス断によって前記障害状態を実現することを特徴とする請求項５記載のネットワーク機器。
【請求項７】
前記自発的に障害状態とする手段は、前記ネットワーク回線が光信号を使用している場合に光断によって前記障害状態を実現することを特徴とする請求項５記載のネットワーク機器。
【請求項８】
前記障害が発生したネットワーク回線が復旧した時に、グループに含まれる他のポート全ての自発的な障害状態を復旧させることを特徴とする請求項５から請求項７のいずれか記載のネットワーク機器。
【請求項９】
ネットワーク回線を有する複数のネットワーク機器を相互に接続してなるネットワークの障害通知方法であって、前記ネットワーク機器側に、各々前記ネットワーク回線に接続される複数のポートを予め特定のグループとして記憶するステップと、前記グループ内のいずれか一つのポートに対応するネットワーク回線に障害が発生した時に当該グループに含まれる他のポート全てを自発的に障害状態とするステップとを有することを特徴とする障害通知方法。
【請求項１０】
前記自発的に障害状態とするステップは、前記ネットワーク回線が電気信号を使用している場合にパルス断によって前記障害状態を実現することを特徴とする請求項９記載の障害通知方法。
【請求項１１】
前記自発的に障害状態とするステップは、前記ネットワーク回線が光信号を使用している場合に光断によって前記障害状態を実現することを特徴とする請求項９記載の障害通知方法。
【請求項１２】
前記障害が発生したネットワーク回線が復旧した時に、グループに含まれる他のポート全ての自発的な障害状態を復旧させることを特徴とする請求項９から請求項１１のいずれか記載の障害通知方法。
【発明の詳細な説明】
【０００１】
【発明の属する技術分野】
本発明はネットワーク、ネットワーク機器及びそれらに用いる障害通知方法に関し、特にインタネットを利用したパケット伝送に用いられるネットワークにおける障害通知方法に関する。
【０００２】
【従来の技術】
社会的インフラの一つとして、インタネットの需要が急速に高まりつつある。それにともなって、インタネットを利用したパケット伝送においては、より高い信頼性が求められるようになっており、障害発生時に遠隔の装置に障害発生を迅速に伝達する手法が必要とされている。
【０００３】
従来の障害通知方法では、何らかのプロトコルを実装することによって、障害情報を伝達している。例えば、第三層以上にプロトコルを実装することで、障害の検知及び通知を行う場合には、障害の検知に時間がかかることが多く、さらに隣接する機器間で同一のプロトコルを実装する必要がある。
【０００４】
一方、第二層以下のプロトコルによる機構を利用することでイーサネット（Ｒ）の障害検知／通知を達成する手段としては、例えば、障害情報の格納機能を有し、ＲＡＲＰ（Ｒｅｖｅｒｓｅ  Ａｄｄｒｅｓｓ  Ｒｅｓｏｌｕｔｉｏｎ  Ｐｒｏｔｏｃｏｌ）機能を有するイーサネット（Ｒ）接続装置に適用する方法がある（例えば、特許文献１参照）。
【０００５】
このイーサネット（Ｒ）接続装置には、新たに同一イーサネット（Ｒ）上に装置が接続されたことを検出する検出部と、該検出部において新たなネットワーク装置が接続されたことを検出した場合にその装置がこれまでに接続されていたものなのか否かを比較する比較部と、自装置において障害情報を格納しているか否かを判断する判断部と、比較部において新たに同一イーサネット（Ｒ）上に接続された装置がこれまで接続されていなかったとみなし、判断部において障害情報を格納していると判断した時に新たに同一イーサネット（Ｒ）上に接続された装置に対して障害情報の転送を行う障害情報転送部とが設けられている。
【０００６】
【特許文献１】
特開平１０−０５１４７７号公報（第３，４頁、図２）
【０００７】
【発明が解決しようとする課題】
しかし、従来の障害通知方法では、装置が接続されたことを検出する検出部や比較部等の機構が必要となるため、構成が複雑になるという問題がある。また、従来の障害通知方法では、障害情報の転送を行うため、隣接する機器間で予め障害情報を交換し合うプロトコルが必要になるという問題もある。
【０００８】
そこで、本発明の目的は上記の問題点を解消し、運用中に障害通知のための帯域を消費することなく、障害情報の伝達を極めて高速に行うことができ、安価に装置を構成することができるネットワーク、ネットワーク機器及びそれらに用いる障害通知方法を提供することにある。
【０００９】
【課題を解決するための手段】
本発明によるネットワークは、ネットワーク回線を有する複数のネットワーク機器を相互に接続してなるネットワークであって、各々前記ネットワーク回線に接続される複数のポートを予め特定のグループとして記憶する手段と、前記グループ内のいずれか一つのポートに対応するネットワーク回線に障害が発生した時に当該グループに含まれる他のポート全てを自発的に障害状態とする手段とを前記複数のネットワーク機器各々に備えている。
【００１０】
本発明によるネットワーク機器は、ネットワーク回線を有するネットワーク機器であって、各々前記ネットワーク回線に接続される複数のポートを予め特定のグループとして記憶する手段と、前記グループ内のいずれか一つのポートに対応するネットワーク回線に障害が発生した時に当該グループに含まれる他のポート全てを自発的に障害状態とする手段とを備えている。
【００１１】
本発明による障害通知方法は、ネットワーク回線を有する複数のネットワーク機器を相互に接続してなるネットワークの障害通知方法であって、前記ネットワーク機器側に、各々前記ネットワーク回線に接続される複数のポートを予め特定のグループとして記憶するステップと、前記グループ内のいずれか一つのポートに対応するネットワーク回線に障害が発生した時に当該グループに含まれる他のポート全てを自発的に障害状態とするステップとを備えている。
【００１２】
すなわち、本発明のネットワーク機器は、ネットワーク回線を有する機器において、予め複数のポートを特定のグループとして記憶し、グループ内のいずれか一つの回線に障害が発生した場合に、グループに含まれる残る全てのポートを自発的に障害状態とすることで、隣接する他のネットワーク機器に、直接接続されていないネットワークの障害情報を伝達している。
【００１３】
つまり、本発明のネットワーク機器では、（１）上位層にプロトコルを実装することなく、隣接するネットワーク機器に障害情報の通知を行うことが可能、（２）動作論理が単純なため、装置が安価に構成可能、（３）プロトコルの実装が不要のため、設定時に隣接装置間で帯域を消費することなく、障害情報の通知を行うことが可能、（４）回線種別に依存しないという効果を持つ。
【００１４】
上記のように、本発明のネットワーク機器では、障害通知用のプロトコルを必要としないため、運用中に障害通知のための帯域を消費することなく、障害情報の伝達を極めて高速に行うことが可能になり、安価に装置を構成することが可能となる。この場合、本発明のネットワーク機器では、回線種別に依存せず、障害情報を伝達することが可能となる。
【００１５】
【発明の実施の形態】
次に、本発明の実施例について図面を参照して説明する。図１は本発明の一実施例によるネットワークの構成を示すブロック図である。図１において、本発明の一実施例によるネットワークはイーサネット（Ｒ）回線を有するネットワーク機器１〜４から構成されており、ネットワーク機器２のイーサネット（Ｒ）ポート＃２１，＃２２は予めグループ化されている。
【００１６】
例えば、ネットワーク機器１とネットワーク機器４とが通信を行っている場合には、ネットワーク機器２を経由する経路が一次系、ネットワーク機器３を経由する経路が二次系となっており、初期状態では一次系にパケットが流れている。ネットワーク機器１は一次系に障害が発生したことを検知すると、ネットワーク機器４へのパケットの送出経路を二次系へと切替える。
【００１７】
本実施例では、イーサネット（Ｒ）回線を対象としているが、本発明の手法は、他の回線種別｛例えば、ＡＴＭ（Ａｓｙｎｃｈｒｏｎｏｕｓ  Ｔｒａｎｓｆｅｒ  Ｍｏｄｅ）やＰＯＳ［Ｐａｃｋｅｔ  Ｏｖｅｒ  ＳＯＮＥＴ（Ｓｙｎｃｈｒｏｎｏｕｓ  Ｏｐｔｉｃａｌ  ＮＥＴｗｏｒｋ）等］に利用することも可能である。
【００１８】
図２は図１のネットワーク機器２の構成を示すブロック図である。図２において、ネットワーク機器２はポート＃２１，＃２２と、パケット送受信部２３と、経路障害検出部２４と、ポート制御部２５と、ポート情報保持部２６とから構成されている。
【００１９】
ポート＃２１，＃２２は隣接するネットワーク機器１，４にイーサネット（Ｒ）回線を介して接続されている。パケット送受信部２３はポート＃２１，＃２２を介して隣接するネットワーク機器１，４との間でパケットの送受信を行う。
【００２０】
経路障害検出部２４はパケット送受信部２３からの情報（パケットが正常に送受信されているかどうかの情報等）を基にポート＃２１，＃２２各々に接続されているイーサネット（Ｒ）回線（経路）における障害の有無を検出する。
【００２１】
ポート制御部２５は経路障害検出部２４によってポート＃２１，＃２２の一方に障害が検出された時、ポート情報保持部２６に保持されているポート＃２１，＃２２のグループ化情報を基にグループ化されているポート＃２１，＃２２の他方を自発的に障害状態とする。
【００２２】
尚、図示していないが、他のネットワーク機器１，３，４も上述したネットワーク機器２と同様の構成となっており、ネットワーク機器２と同様の動作を行うものとする。
【００２３】
図３は本発明の一実施例によるネットワークの動作を示す図であり、図４は図１のネットワーク機器２の動作を示すフローチャートである。これら図１〜図４を参照して本発明の一実施例によるネットワークの動作について説明する。
【００２４】
図３に示すように、ネットワーク機器２とネットワーク機器４の間のイーサネット（Ｒ）回線に障害が発生した場合（図３のａ参照）、ネットワーク機器２では経路障害検出部２４がパケット送受信部２３からの情報を基に、イーサネット（Ｒ）ポート＃２１から障害を検知する（図３のｂ参照）（図４ステップＳ１）。
【００２５】
ネットワーク機器２のポート制御部２５は経路障害検出部２４で障害が検知されたイーサネット（Ｒ）ポート＃２１の情報をポート情報保持部２６に記憶した後（図４ステップＳ２）、ポート情報保持部２６の登録情報からイーサネット（Ｒ）ポート＃２１と同じグループに登録されているイーサネット（Ｒ）ポートを検索する（図４ステップＳ３）。
【００２６】
ポート制御部２５はイーサネット（Ｒ）ポート＃２１と同じグループに登録されているイーサネット（Ｒ）ポート＃２２を検索すると（図４ステップＳ４）、そのイーサネット（Ｒ）ポート＃２２を自発的に障害状態とする（図３のｃ参照）（図４ステップＳ５）。この自発的な障害状態は、電気信号を使用している場合にパルス断によって実現し、光信号を使用している場合に光断によって実現する。
【００２７】
本実施例では、イーサネット（Ｒ）ポート＃２２を自発的に障害状態とすることで、ネットワーク機器１において一次系が障害となったことを検知することができるため（図３のｄ参照）、ネットワーク機器１がパケット送出経路を二次系へと切替えることができる（図３のｅ参照）。
【００２８】
ネットワーク機器２とネットワーク機器４との間のイーサネット（Ｒ）回線が復旧した場合、ネットワーク機器２では経路障害検出部２４がパケット送受信部２３からの情報を基に、イーサネット（Ｒ）ポート＃２１から回線の復旧を認識することができる（図４ステップＳ６）。
【００２９】
ポート制御部２５はイーサネット（Ｒ）ポート＃２１が最初に障害を検知したポートであることがポート情報保持部２６に記憶されているため（図４ステップＳ７）、同じグループに属している自発的に障害状態としたイーサネット（Ｒ）ポート＃２２を復旧させる（図４ステップＳ８）。イーサネット（Ｒ）ポート＃２２が復旧することで、ネットワーク機器１は一次系が復旧したことを知ることができる。
【００３０】
このように、本実施例では、障害通知用のプロトコルを必要としないため、運用中に障害通知のための帯域を消費することなく、障害情報の伝達を極めて高速に行うことができ、安価に装置を構成することができる。また、本実施例では、回線種別に依存せず、障害情報を伝達することができる。
【００３１】
【発明の効果】
以上説明したように本発明は、上記のような構成及び動作とすることで、運用中に障害通知のための帯域を消費することなく、障害情報の伝達を極めて高速に行うことができ、安価に装置を構成することができるという効果が得られる。
【図面の簡単な説明】
【図１】本発明の一実施例によるネットワークの構成を示すブロック図である。
【図２】図１のネットワーク機器の構成を示すブロック図である。
【図３】本発明の一実施例によるネットワークの動作を示す図である。
【図４】図１のネットワーク機器の動作を示すフローチャートである。
【符号の説明】
１〜４  ネットワーク機器
２３  パケット送受信部
２４  経路障害検出部
２５  ポート制御部
２６  ポート情報保持部
＃１１，＃２１，
＃２２，＃４１  ポート
【図１】
2004356784.tif 000003
【図２】
2004356784.tif 000004
【図３】
2004356784.tif 000005
【図４】
2004356784.tif 000006